(57)【要約】      （修正有）【課題】録画処理を統合して行い、各ユーザが所有する端末の録画機能に依存しない会議録画システムを提供する。【解決手段】複数の端末間でのＴＶ会議を録画するＴＶ会議録画システムにおいて、ＴＶ会議のＩＤを保有するＭＣＵ制御サーバと、公衆電話網に接続され、複数の端末から録画対象となるＴＶ会議データを受信し、送信するネットワークＩ／Ｆ部と、録画対象となるＴＶ会議データを映像データおよび音声データに分離するメディア分離部と、映像データを複合および合成処理し、ＩＤを付与して記憶すると共に、映像データを読み出して出力する映像処理部と、音声データを複合および加算処理し、ＩＤを付与して記憶すると共に、音声データを読み出して出力する音声処理部と、映像処理部から出力された映像データと音声処理部から出力された音声データを多重し、再生対象となるＴＶ会議データを生成するメディア多重部とを備える。【選択図】図１
2009267810.tif 000002
【特許請求の範囲】
【請求項１】
複数の端末間でのＴＶ会議を録画するＴＶ会議録画システムにおいて、
前記ＴＶ会議のＩＤを保有する制御サーバ部と、
ネットワークに接続され、前記複数の端末から録画対象となるＴＶ会議データを受信し、前記複数の端末に再生対象となるＴＶ会議データを送信するインタフェース部と、
前記録画対象となるＴＶ会議データを映像データおよび音声データに分離するメディア分離部と、
前記メディア分離部において分離された映像データを複合および合成処理し、前記ＩＤを付与して記憶すると共に、該当するＩＤが付与された映像データを読み出して出力する映像処理部と、
前記メディア分離部において分離された音声データを複合および加算処理し、前記ＩＤを付与して記憶すると共に、該当するＩＤが付与された音声データを読み出して出力する音声処理部と、
前記映像処理部から出力された映像データと前記音声処理部から出力された音声データを多重し、前記再生対象となるＴＶ会議データを生成するメディア多重部とを備えることを特徴とする会議録画システム。
【請求項２】
映像処理部は、メディア多重部を有することを特徴とする請求項１記載の会議録画システム。
【請求項３】
インタフェース部は、外部入力に基づき映像データまたは音声データのうちの少なくともいずれか１つを選択して録画対象となるＴＶ会議データとして受信すると共に、前記選択して受信した映像データまたは音声データのうちの少なくともいずれか１つを再生対象となるＴＶ会議データとして送信することを特徴とする請求項１または請求項２記載の会議録画システム。
【請求項４】
複数の端末間でのＴＶ会議を録画するＴＶ会議録画システムにおいて、
前記ＴＶ会議のＩＤを保有する制御サーバ部と、
ネットワークに接続され、前記複数の端末から録画対象となるＴＶ会議データを受信し、前記複数の端末に再生対象となるＴＶ会議データを送信するインタフェース部と、
前記ＴＶ会議データを映像データおよび音声データが多重化された状態で、前記ＩＤを付与して記憶すると共に、該当するＩＤが付与された会議データを読み出して前記インタフェース部に出力するメディア部とを備えることを特徴とする会議録画システム。
【請求項５】
複数の端末のうち、任意の端末が再生対象となるＴＶ会議データを入手することを特徴とする請求項１から請求項４のうちのいずれか１項記載の会議録画システム。
【発明の詳細な説明】
【技術分野】
【０００１】
この発明は、ビジュアルタイプの携帯電話端末、固定電話端末を用いて多地点で実施される会議を録画する会議録画システムに関し、特に録画処理を統合して行う会議録画システムに関するものである。
【背景技術】
【０００２】
従来、多地点で開催するＴＶ会議では複数のユーザがサーバにアクセスし、多地点のユーザを参加者として一つのＴＶ会議を予約し、各ユーザが会議開催に必要となる接続電話番号に発信してＴＶ会議を開催するシステムが用いられている。また、このシステムにおいてＴＶ会議の模様を録画する場合には、各ユーザが所有する携帯電話端末または固定電話端末などの各端末においてそれぞれ録画を実行する。
【０００３】
【非特許文献１】Ｈ．２４５（０２／００）Ｃｏｎｔｒｏｌ  Ｐｒｏｔｏｃｏｌ  ｆｏｒ  ｍｕｌｔｉｍｅｄｉａ  ｃｏｍｍｕｎｉｃａｔｉｏｎ（Ｔｏ  ｂｅ  ｐｕｂｌｉｓｈｅｄ）
【発明の開示】
【発明が解決しようとする課題】
【０００４】
しかしながら、従来の会議録画システムは、録画機能が各ユーザの所有する端末の機能に依存するため、録画機能を有さない端末を所有するユーザは会議を録画することができず、会議を利用する全てのユーザがＴＶ会議の模様を録画することができないという課題があった。
【０００５】
この発明は上記のような課題を解決するためになされたもので、録画処理を統合して行い、各ユーザが所有する端末の録画機能に依存しない会議録画システムを得ることを目的とする。
【課題を解決するための手段】
【０００６】
この発明に係る会議録画システムは、複数の端末間でのＴＶ会議を録画するＴＶ会議録画システムにおいて、前記ＴＶ会議のＩＤを保有する制御サーバ部と、ネットワークに接続され、前記複数の端末から録画対象となるＴＶ会議データを受信し、前記複数の端末に再生対象となるＴＶ会議データを送信するインタフェース部と、前記録画対象となるＴＶ会議データを映像データおよび音声データに分離するメディア分離部と、前記メディア分離部において分離された映像データを複合および合成処理し、前記ＩＤを付与して記憶すると共に、該当するＩＤが付与された映像データを読み出して出力する映像処理部と、前記メディア分離部において分離された音声データを複合および加算処理し、前記ＩＤを付与して記憶すると共に、該当するＩＤが付与された音声データを読み出して出力する音声処理部と、前記映像処理部から出力された映像データと前記音声処理部から出力された音声データを多重し、前記再生対象となるＴＶ会議データを生成するメディア多重部とを備えるものである。
【発明の効果】
【０００７】
この発明によれば、複数の端末間でのＴＶ会議を録画するＴＶ会議録画システムにおいて、前記ＴＶ会議のＩＤを保有する制御サーバ部と、ネットワークに接続され、前記複数の端末から録画対象となるＴＶ会議データを受信し、前記複数の端末に再生対象となるＴＶ会議データを送信するインタフェース部と、前記録画対象となるＴＶ会議データを映像データおよび音声データに分離するメディア分離部と、前記メディア分離部において分離された映像データを複合および合成処理し、前記ＩＤを付与して記憶すると共に、該当するＩＤが付与された映像データを読み出して出力する映像処理部と、前記メディア分離部において分離された音声データを複合および加算処理し、前記ＩＤを付与して記憶すると共に、該当するＩＤが付与された音声データを読み出して出力する音声処理部と、前記映像処理部から出力された映像データと前記音声処理部から出力された音声データを多重し、前記再生対象となるＴＶ会議データを生成するメディア多重部とを備えるように構成したので、会議参加者が端末を用いて当該会議録画システムにアクセスすることにより、録画したデータを自身の端末において再生することができる。これにより、所有する端末の性能に関わらず全てのユーザが過去に開催されたＴＶ会議を参照することができる。また、ユーザに録画機能という新たな付加サービスを提供することができる。さらに、当該会議録画システムの提供者に対するアクセス数が増加し、ＭＣＵ（Ｍｕｌｔｉｐｏｉｎｔ Ｃｏｎｔｒｏｌ Ｕｎｉｔ）の拡販を実現することができる。
【発明を実施するための最良の形態】
【０００８】
実施の形態１．
図１はこの発明の実施の形態１に係る会議録画システムの構成を示すブロック図である。会議録画システムは、多地点でのテレビ会議を制御するＭＣＵ （Ｍｕｌｔｉｐｏｉｎｔ Ｃｏｎｔｒｏｌ Ｕｎｉｔ）１、それぞれＬＡＮ経路を介して接続されたＭＣＵ制御サーバ（制御サーバ部）１０、テレビ会議予約サーバ１１、およびウェブアクセスサーバであるポータルサーバ１２で構成されている。ＭＣＵ１は、ＬＡＮ経路を介して接続されたネットワークＩ／Ｆ部（インタフェース部）２、メディア多重分離部（メディア分離部、メディア多重部）３、映像複合合成部５および映像データ記憶部６を備える映像処理部４、音声複合加算部８および音声データ記憶部９を備える音声処理部７で構成されている。
【０００９】
ネットワークＩ／Ｆ部２は、携帯電話端末２１または固定電話端末２２（以下、端末２１，２２と称する）からの情報入力を受け付ける。入力される情報は、映像データ、音声データ、プロトコルデータ、および制御データで構成されている。メディア多重分離部３は、ネットワークＩ／Ｆ部２から入力される情報をプロトコルデータに基づいて、映像データおよび音声データに分離して映像データを映像処理部４に出力し、音声データを音声処理部７に出力する。また、メディア多重分離部３は、映像処理部４および音声処理部７から入力される映像データおよび音声データを多重してネットワークＩ／Ｆ部２に出力する。
【００１０】
映像処理部４の映像複合合成部５は、伝送時に符号化処理された映像データを一旦合成可能なフォーマットに複合し、この複合した映像データを合成処理し、再度符号化する。これは、映像データが伝送時に符号化処理されており、その状態では複数の端末２１，２２から入力される映像を合成することができないためである。映像データ記憶部６は、この複合および合成処理された映像データを記憶する。音声処理部７の音声複合加算部８は、伝送時に符号化処理された音声データを一旦加算可能なフォーマットに複合し、この複合した音声データに対して加算処理を行い、再度符号化する。音声データ記憶部９は、この複合および加算処理された音声データを記憶する。
【００１１】
ポータルサーバ１２は、ＷＥＢサーバの役割を担っており、ユーザが会議予約などを実施する際のＷＥＢ画面の表示を行い、その画面表示に対するユーザ入力の情報をＭＣＵ１制御サーバ１０やＴＶ会議予約サーバ１１に出力する。ＭＣＵ制御サーバ１０は、ＭＣＵ１のリソースを管理し、ユーザ入力により指定された時間にＭＣＵ１のリソースが空いているか否かを確認し、その確認結果に応じた予約の可否をポータルサーバ１２に出力する。ＴＶ会議予約サーバ１１は、ユーザ情報を管理している。そのため、ＭＣＵ制御サーバ１０において予約可能となった場合には、ポータルサーバ１２から予約内容が通知され、ＴＶ会議予約サーバ１１は保持しているデータベースに予約内容を登録する。ユーザが現在の予約内容を確認したい場合には、ポータルサーバ１２がＴＶ会議予約サーバ１１に問い合わせを行い、該当するユーザ情報をＷＥＢ画面上に表示する。
【００１２】
また、図１に示すようにこの会議録画システムは、公衆電話網２３を介して外部端末である携帯電話端末２１や固定電話端末２２などが接続されている。さらに、公衆インターネット網２４を介してパソコン端末２５が接続されている。この公衆インターネット網２４には携帯電話網を含むものとする。なお、携帯電話端末２１および固定電話端末２２はテレビ電話機能を有するものとし、パソコン端末２５はデジタルカメラなどを接続して用いて利用するものとする。
【００１３】
次に、この会議録画システムにおけるテレビ会議の予約アクセス処理について説明する。まず、ユーザである会議主催者（以下、主催者と称する）が、端末２１，２２またはパソコン端末２５からポータルサーバ１２にアクセスし、多地点の複数のユーザを参加者として一つのＴＶ会議を予約する。予約が入力されたポータルサーバ１２は、予約情報をＭＣＵ制御サーバ１０およびＴＶ会議予約サーバ１１に出力する。ＭＣＵ制御サーバ１０は予約可能か否か判定し、判定結果をポータルサーバ１２に出力する。ここでは、予約可能であるとの判定結果を出力するものとする。ポータルサーバ１２は、予約内容をＴＶ会議予約サーバ１１に通知し、ＴＶ会議予約サーバ１１は予約内容をデータベースに登録する。予約確定後、ポータルサーバ１２から主催者および参加者に対して、会議開催の際に必要となるＭＣＵ１への接続電話番号が通知される。
【００１４】
この接続電話番号の通知方法は、主催者およびこの会議録画システムにユーザ登録している参加者は、自身が参加する会議情報をＷＥＢ画面にて確認することができる。既に予約が完了している会議については、その内容によって接続電話番号を通知する。また、この会議録画システムにユーザ登録していない参加者への接続電話番号の通知は、Ｅメールを指定することによりポータルサーバ１２からメールを送信する。
【００１５】
主催者および参加者が、端末２１，２２を用いて会議開催時間内に指定されたＭＣＵ１の接続電話番号に発信することによりＭＣＵ１にアクセス可能となりＴＶ会議が開催される。各端末２１，２２は、ＭＣＵ１から受信する映像データおよび音声データを表示し、また映像データおよび音声データをＭＣＵ１に送信することによりＴＶ会議を実施する。
【００１６】
次に、上述した処理により開催されるＴＶ会議の録画処理について説明する。図２および図３は、この発明の実施の形態１に係る会議録画システムの録画処理動作を示すフローチャートである。また、図２はＤＴＭＦ（Ｄｕａｌ−Ｔｏｎｅ  Ｍｕｌｔｉ−Ｆｒｅｑｕｅｎｃｙ）信号により録画を停止する場合のフローチャートを示し、図３は会議時間終了に伴い録画を停止する場合のフローチャートを示している。まず、図２に基づき説明を行う。
【００１７】
上述した端末２１，２２によるＭＣＵ１への接続である接続シーケンスが実行されると、正常にＴＶ会議が開始される（ステップＳＴ１）。会議開催が正常に完了した時点で録画機能を有効にするために、ステップＳＴ１の処理後に主催者が端末２１，２２を用いて録画開始要求であるＤＴＭＦ（Ｄｕａｌ−Ｔｏｎｅ  Ｍｕｌｔｉ−Ｆｒｅｑｕｅｎｃｙ）信号を、ＭＣＵ１のネットワークＩ／Ｆ部２に出力する（ステップＳＴ２）。このＤＴＭＦ信号を出力する際に、主催者は「音声のみ」、「映像のみ」または「音声・映像」など録画対象を選択することができる。なお以下では、「音声・映像」を録画対象に選択した場合を例に説明する。
【００１８】
「音声・映像」を録画対象に選択したＤＴＭＦ信号を受信したネットワークＩ／Ｆ部２は、さらに録画開始指示であるＤＴＭＦ信号を映像複合合成部５および音声複合加算部８に出力する（ステップＳＴ３）。録画開始指示を受信した映像複合合成部５および音声複合加算部８は、ネットワークＩ／Ｆ部２を介してＭＣＵ制御サーバ１０に該当する会議の会議ＩＤ取得要求を出力する（ステップＳＴ４，５）。ＭＣＵ制御サーバ１０は入力された会議ＩＤ取得要求に対する応答として、会議ＩＤを通知する会議ＩＤ取得応答を映像複合合成部５および音声複合加算部８に出力する（ステップＳＴ６）。
【００１９】
端末２１，２２から入力されるＴＶ会議データは、ネットワークＩ／Ｆ部２を介してメディア多重分離部３に入力される（ステップＳＴ７，８）。メディア多重分離部３は、入力されたＴＶ会議データを映像データおよび音声データに分離し、映像複合合成部５および音声複合加算部８に出力する（ステップＳＴ９）。映像複合合成部５は、入力された映像データに複合処理および合成処理を実施すると共に、ステップＳＴ６において取得した会議ＩＤを付与して映像データ記憶部６に出力する（ステップＳＴ１０）。映像データ記憶部６は、入力された映像データを記憶する（ステップＳＴ１１）。音声複合加算部８は、入力された音声データに複合処理および加算処理を実施すると共に、ステップＳＴ６において取得した会議ＩＤを付与して音声データ記憶部９に出力する（ステップＳＴ１２）。音声データ記憶部９は、入力された音声データを記憶する（ステップＳＴ１３）。
【００２０】
一方、ＴＶ会議データの録画を終了する場合には、主催者が端末２１，２２を介して録画停止要求であるＤＴＭＦ信号をＭＣＵ１のネットワークＩ／Ｆ部２に出力する（ステップＳＴ１４）。ＤＴＭＦ信号を受信したネットワークＩ／Ｆ部２は、さらに録画停止指示であるＤＴＭＦ信号を映像複合合成部５および音声複合加算部８に出力する（ステップＳＴ１５）。映像複合合成部５および音声複合加算部８は、入力された録画停止指示に基づき録画を停止する（ステップＳＴ１６，１７）。その後、ＴＶ会議は終了し、切断シーケンスが実行される（ステップＳＴ１８）。
【００２１】
次に、図３に基づき会議時間終了に伴い録画を停止する場合について説明を行う。なお、図２に示したＴＶ会議録画システムと同一の処理を行うステップには図２で使用した符号と同一の符号を付し、説明を省略または簡略化する。
ステップＳＴ１からステップＳＴ１３によりＴＶ会議の録画が行われる。その後、ＴＶ会議終了時間に達すると、切断シーケンスが実行される（ステップＳＴ１８）。ネットワークＩ／Ｆ部２は、録画停止指示を映像複合合成部５および音声複合加算部８に出力する（ステップＳＴ１５´）。映像複合合成部５および音声複合加算部８は、入力された録画停止指示に基づき録画を停止する（ステップＳＴ１６´，１７´）。
【００２２】
次に、図２および図３に示したフローチャートに基づき録画されたＴＶ会議の再生処理について説明する。図４は、この発明の実施の形態１に係る会議録画システムの再生処理動作を示すフローチャートである。
接続シーケンスが実行され、録画データの再生開始処理が行われる（ステップＳＴ２１）。この再生処理における接続シーケンスは、まず主催者や参加者であるユーザが端末２１，２２またはパソコン端末２５からポータルサーバ１２にＷＥＢアクセスし、録画したＴＶ会議の再生に必要となるＭＣＵ１への接続電話番号を取得する。次にユーザは、指定されたＭＣＵ１の接続電話番号に発信することにより、ＭＣＵ１のネットワークＩ／Ｆ部２にアクセスする。
【００２３】
上述した接続シーケンスによりユーザの着信を受信したネットワークＩ／Ｆ部２は、着信通知を映像複合合成部５および音声複合加算部８に出力する（ステップＳＴ２２）。着信通知を受信した映像複合合成部５および音声複合加算部８は、ネットワークＩ／Ｆ部２を介してＭＣＵ制御サーバ１０に再生すべきＴＶ会議の会議ＩＤ取得要求を出力する（ステップＳＴ２３，２４）。ＭＣＵ制御サーバ１０は入力された会議ＩＤ取得要求に対する応答として、会議ＩＤを通知する会議ＩＤ取得応答を映像複合合成部５および音声複合加算部８に出力する（ステップＳＴ２５）。
【００２４】
映像複合合成部５は、映像データ記憶部６に記憶されている映像データの中から、ステップＳＴ２５において取得した会議ＩＤが付与された映像データを検索し（ステップＳＴ２６）、検索結果である映像データをメディア多重分離部３に出力する（ステップＳＴ２７）。音声複合加算部８は、音声データ記憶部９に記憶されている音声データの中から、ステップＳＴ２５において取得した会議ＩＤが付与された音声データを検索し（ステップＳＴ２８）、検索結果である音声データをメディア多重分離部３に出力する（ステップＳＴ２９）。
【００２５】
メディア多重分離部３は、ステップＳＴ２７およびＳＴ２９において入力された映像データおよび音声データを多重してネットワークＩ／Ｆ部２に出力する（ステップＳＴ３０）。ネットワークＩ／Ｆ部２は、入力された多重化データを端末２１，２２に出力し、ＴＶ会議を再生する（ステップＳＴ３１）。その後、切断シーケンスが実行され、録画データの再生が終了あるいは停止される（ステップＳＴ３２）。なお、ユーザが録画データの再生を停止したい場合には、端末２１，２２をオンフックすることにより対応可能である。
【００２６】
以上のように、この実施の形態１によれば、ＭＣＵに映像データを記憶する映像データ記憶部と、音声データを記憶する音声データ記憶部を設け、会議参加者がＭＣＵにアクセスして当該映像データ記憶部および音声データ記憶部に記憶されたＴＶ会議データを各自の端末で再生するように構成したので、多地点の参加者で構成されるＴＶ会議をＭＣＵ内で統合して録画することが可能となり、参加者は所有する端末の性能に関わらず過去のＴＶ会議を閲覧することができる。
【００２７】
また、この実施の形態１によれば、主催者によって入力される録画開始要求であるＤＴＭ信号に基づき、ネットワークＩ／Ｆ部２において録画する会議データを、「音声データのみ」や「映像データのみ」、「音声・映像データ」と選択するように構成したので、ユーザの希望に基づく会議データの録画および再生を実現することができる。
【００２８】
実施の形態２．
図５は、この発明の実施の形態２に係る会議録画システムの構成を示すブロック図である。この会議録画システムでは、図１に示した実施の形態１のＭＣＵ１のメディア多重分離部３をメディア分離部１３に置き換えて構成している。以下では、実施の形態１に係る会議録画システムの構成要素と同一または相当する部分には、実施の形態１で使用した符号と同一の符号を付して説明を省略または簡略化する。
【００２９】
メディア分離部１３は、ネットワークＩ／Ｆ部２から入力される情報を映像データおよび音声データに分離して映像データを映像処理部４に出力し、音声データを音声処理部７に出力する。また、実施の形態１ではメディア多重分離部３が映像処理部４および音声処理部７から入力される映像データおよび音声データを多重してネットワークＩ／Ｆ部２に出力する構成を示したが、この実施の形態２では映像処理部（映像処理部、メディア多重部）４が映像データの複合および合成処理に加えて映像データと音声データを多重する処理を行う。すなわち、映像処理部４においてあらかじめ多重化された映像データおよび音声データがメディア分離部１３を介してネットワークＩ／Ｆ部２に入力される。
【００３０】
次に、実施の形態２の会議録画システムの動作について説明する。図６は、この発明の実施の形態２に係る会議録画システムの再生処理動作を示すフローチャートである。実施の形態１に係る会議録画システムと同一の処理を行うステップには図４で使用した符号と同一の符号を付し、説明を省略する。なお、実施の形態２の会議録画システムの録画処理動作は実施の形態１と同様であるため説明は省略する。
【００３１】
接続シーケンスが実行され、録画データの再生開始処理が行われ（ステップＳＴ２１）、ユーザの着信を受信したネットワークＩ／Ｆ部２は、着信通知を映像複合合成部５および音声複合加算部８に出力する（ステップＳＴ２２）。着信通知を受信した映像複合合成部５および音声複合加算部８は、ネットワークＩ／Ｆ部２を介してＭＣＵ制御サーバ１０に再生すべきＴＶ会議の会議ＩＤ取得要求を出力する（ステップＳＴ２３，２４）。ＭＣＵ制御サーバ１０は入力された会議ＩＤ取得要求に対する応答として、会議ＩＤを通知する会議ＩＤ取得応答を映像複合合成部５および音声複合加算部８に出力する（ステップＳＴ２５）。
【００３２】
映像複合合成部５は、映像データ記憶部６に記憶されている映像データの中から、ステップＳＴ２５において取得した会議ＩＤが付与された映像データを検索する（ステップＳＴ２６）。音声複合加算部８は、音声データ記憶部９に記憶されている音声データの中から、ステップＳＴ２５において取得した会議ＩＤが付与された音声データを検索し（ステップＳＴ２８）、検索結果である音声データを映像複合合成部５に出力する（ステップＳＴ２９´）。
【００３３】
映像複合合成部５は、ステップＳＴ２６，２９´において入力された映像データおよび音声データを多重し、メディア分離部１３を経由してネットワークＩ／Ｆ部２に出力する（ステップＳＴ３０´）。ネットワークＩ／Ｆ部２は、入力された多重化データをユーザの端末２１，２２に出力し、ＴＶ会議を再生する（ステップＳＴ３１）。その後、切断シーケンスが実行され、録画データの再生が終了あるいは停止される（ステップＳＴ３２）。なお、ユーザが録画データの再生を停止したい場合には、端末２１，２２をオンフックすることにより対応可能である。
【００３４】
以上のように、この実施の形態２によれば、録画したＴＶ会議を再生する際に映像複合合成部において映像データおよび音声データを多重化するように構成したので、メディア分離部に多重化処理を実行する構成を設けることなく会議データをユーザに配信することができ、メディア分離部の負荷を抑制することができる。また、メディア分離部の負荷を抑制することにより、会議データの配信が遅延するのを抑制し、ユーザサービスを向上させることができる。
【００３５】
実施の形態３．
上述した実施の形態１および２ではＭＣＵ１内でデータを記憶する場合には映像データおよび音声データに分離し、会議データを端末２１，２２に伝送する場合には再度映像データおよび音声データを多重化する構成を示していたが、この実施の形態３では、映像データおよび音声データを多重化した状態で記憶するように構成している。図７は、この発明の実施の形態３に係る会議録画システムの構成を示すブロック図である。この会議録画システムでは、図１に示した実施の形態１のＭＣＵ１のメディア多重分離部３をメディア部１４に置き換えて構成している。また、映像処理部４および音声処理部７は設けずに構成している。以下では、実施の形態１に係る会議録画システムの構成要素と同一または相当する部分には、実施の形態１で使用した符号と同一の符号を付して説明を省略または簡略化する。
【００３６】
メディア部１４は、ネットワークＩ／Ｆ部２から入力される情報をメディア記憶部１５に記憶させる。また、録画した会議データを再生する場合にはメディア記憶部１５から多重化した状態で記憶した会議データを読み出し、ネットワークＩ／Ｆ部２に出力する。
【００３７】
次に、実施の形態３の会議録画システムの動作について説明する。図８および図９は、この発明の実施の形態３に係る会議録画システムの録画処理動作を示すフローチャートである。図８はＤＴＭＦ信号により録画を停止する場合のフローチャートを示し、図９は会議時間終了に伴い録画を停止する場合のフローチャートを示している。なお、実施の形態１に係る会議録画システムと同一の処理を行うステップには図２から図３で使用した符号と同一の符号を付し、説明を省略する。まず、図８に基づき説明を行う。
【００３８】
ステップＳＴ２により録画開始要求であるＤＴＭＦ信号を受信したネットワークＩ／Ｆ部２は、さらに録画開始指示であるＤＴＭＦ信号をメディア部１４に出力する（ステップＳＴ３´）。録画開始指示を受信したメディア部１４は、ネットワークＩ／Ｆ部２を介してＭＣＵ制御サーバ１０に該当する会議の会議ＩＤ取得要求を出力する（ステップＳＴ４１）。ＭＣＵ制御サーバ１０は入力された会議ＩＤ取得要求に対する応答として、会議ＩＤを通知する会議ＩＤ取得応答をメディア部１４に出力する（ステップＳＴ４２）。
【００３９】
端末２１，２２から入力されるＴＶ会議のデータは、ネットワークＩ／Ｆ部２を介してメディア部１４に入力される（ステップＳＴ７，８´）。メディア部１４は、入力されたＴＶ会議データにステップＳＴ４２において取得した会議ＩＤを付与してメディア記憶部１５に出力する（ステップＳＴ４３）。メディア記憶部１５は、入力されたＴＶ会議データを記憶する（ステップＳＴ４４）。
【００４０】
一方、ＴＶ会議データの録画を終了する場合には、主催者が端末２１，２２を介して録画停止要求であるＤＴＭＦ信号をＭＣＵ１のネットワークＩ／Ｆ部２に出力する（ステップＳＴ１４）。ＤＴＭＦ信号を受信したネットワークＩ／Ｆ部２は、さらにこの録画停止要求であるＤＴＭＦ信号をメディア部１４に出力する（ステップＳＴ１５´）。メディア部１４は、入力された録画停止指示に基づき録画を停止する（ステップＳＴ４５）。その後、会議は終了し、切断シーケンスが実行される（ステップＳＴ１８）。
【００４１】
次に、図９に基づき会議時間終了に伴い録画を停止する場合について説明を行う。なお、図８に示したＴＶ会議録画システムと同一の処理を行うステップには図８で使用した符号と同一の符号を付し、説明を省略または簡略化する。
ステップＳＴ１からステップＳＴ４４によりＴＶ会議の録画が行われる。その後、ＴＶ会議終了時間に達すると、切断シーケンスが実行される（ステップＳＴ１８）。ネットワークＩ／Ｆ部２は、録画停止指示を映像複合合成部５および音声複合加算部８に出力する（ステップＳＴ１５´´）。メディア部１４は、入力された録画停止指示に基づき録画を停止する（ステップＳＴ４５´）。
【００４２】
次に、図８および図９に示したフローチャートに基づき録画されたＴＶ会議の再生処理について説明する。図１０は、この発明の実施の形態３に係る会議録画システムの再生処理動作を示すフローチャートである。なお、実施の形態１に係る会議録画システムと同一の処理を行うステップには図４で使用した符号と同一の符号を付し、説明を省略する。
【００４３】
接続シーケンスが実行され、録画データの再生開始処理が行われる（ステップＳＴ２１）。ステップＳＴ２１によるユーザの着信を受信したネットワークＩ／Ｆ部２は、着信通知をメディア部１４に出力する（ステップＳＴ２２´）。着信通知を受信したメディア部１４は、ネットワークＩ／Ｆ部２を介してＭＣＵ制御サーバ１０に再生すべきＴＶ会議の会議ＩＤ取得要求を出力する（ステップＳＴ５１）。ＭＣＵ制御サーバ１０は入力された会議ＩＤ取得要求に対する応答として、会議ＩＤを通知する会議ＩＤ取得応答をメディア部１４に出力する（ステップＳＴ５２）。
【００４４】
メディア部１４は、メディア記憶部１５に記憶されている会議データの中から、ステップＳＴ５２において取得した会議ＩＤが付与された会議データを検索し（ステップＳＴ５３）、検索結果である会議データをネットワークＩ／Ｆ部２に出力する（ステップＳＴ５４）。ネットワークＩ／Ｆ部２は、入力された会議データをユーザの端末２１，２２に出力し、ＴＶ会議を再生する（ステップＳＴ３１）。その後、切断シーケンスが実行され、録画データの再生が終了あるいは停止される（ステップＳＴ３２）。なお、ユーザが録画データの再生を停止したい場合には、端末２１，２２をオンフックすることにより対応可能である。
【００４５】
以上のように、この実施の形態３によれば、ＭＣＵに多重化した状態で映像データおよび音声データを記憶するメディア記憶部を設けるように構成したので、ＭＣＵやメディア部に多重化処理を実行する構成を設けることなく会議データをユーザに配信することができ、ＭＣＵやメディア部の負荷を抑制することができる。また、ＭＣＵやメディア部の負荷を抑制することにより、会議データの配信が遅延するのを抑制し、ユーザサービスを向上させることができる。
【００４６】
なお、上述した実施の形態１から実施の形態３では、携帯電話端末２１，固定電話端末２２を用いる構成を示したが、端末の種類および個数はこれに限定されるものではなく適宜変更可能である。
【図面の簡単な説明】
【００４７】
【図１】この発明の実施の形態１に係る会議録画システムの構成を示すブロック図である。
【図２】この発明の実施の形態１に係る会議録画システムの録画処理動作を示すフローチャートである。
【図３】この発明の実施の形態１に係る会議録画システムの録画処理動作を示すフローチャートである。
【図４】この発明の実施の形態１に係る会議録画システムの再生処理動作を示すフローチャートである。
【図５】この発明の実施の形態２に係る会議録画システムの構成を示すブロック図である。
【図６】この発明の実施の形態２に係る会議録画システムの再生処理動作を示すフローチャートである。
【図７】この発明の実施の形態３に係る会議録画システムの構成を示すブロック図である。
【図８】この発明の実施の形態３に係る会議録画システムの録画処理動作を示すフローチャートである。
【図９】この発明の実施の形態３に係る会議録画システムの録画処理動作を示すフローチャートである。
【図１０】この発明の実施の形態３に係る会議録画システムの再生処理動作を示すフローチャートである。
【符号の説明】
【００４８】
１  ＭＣＵ、２  ネットワークＩ／Ｆ部、３  メディア多重分離部、４  映像処理部、５  映像複合合成部、６  映像データ記憶部、７  音声処理部、８  音声複合加算部、９  音声データ記憶部、１０  ＭＣＵ制御サーバ、１１  ＴＶ会議予約サーバ、１２  ポータルサーバ、１３  メディア分離部、１４  メディア部、１５  メディア記憶部、２１  携帯電話端末、２２  固定電話端末、２３  公衆電話網、２４  公衆インターネット網、２５  パソコン端末。
【図１】
2009267810.tif 000003
【図２】
2009267810.tif 000004
【図３】
2009267810.tif 000005
【図４】
2009267810.tif 000006
【図５】
2009267810.tif 000007
【図６】
2009267810.tif 000008
【図７】
2009267810.tif 000009
【図８】
2009267810.tif 000010
【図９】
2009267810.tif 000011
【図１０】
2009267810.tif 000012